(57)【特許請求の範囲】
【請求項１】
液透過性の表面層、液不透過性の防漏層及び両層間に介在された液保持性の吸収層を有する吸収性物品において、
前記吸収層が以下のa)及びb)の物質並びに高吸収性ポリマーを含有する制臭シートを有し、該制臭シートは、a)及びb)の物質が互いに分散混合されて形成された層から構成されるか、又はa)の物質を含有する層とb)の物質を含有する層とが互いに隣接してなる層から構成され、
前記シートにおけるa)の物質の含有量が２０〜８０重量％、b)の物質の含有量が１０〜６０重量％、前記高吸収性ポリマーの含有量が１０〜６０重量％であり、
前記シートの生理食塩水に対する１分後のクレム吸水度（JIS P 8141）が４０ｍｍ以上である吸収性物品。
a)繊維径０．１〜２０μｍの水に膨潤しない親水性繊維。
b)制臭剤。
【請求項２】
前記制臭シートの基材としてメルトブローン不織布を用いる請求項１記載の吸収性物品。
【請求項３】
前記吸収層が前記制臭シートからなるか、又は該制臭シートが該吸収層の一部を構成し、該吸収層の何れかの部分に配されている請求項１又は２記載の吸収性物品。
【請求項４】
前記シートは、b)の物質が前記高吸収性ポリマーを介してa)の物質に接着固定されて形成されている請求項１〜３の何れかに記載の吸収性物品。
【請求項５】
液透過性の表面層、液不透過性の防漏層及び両層間に介在された液保持性の吸収層を有する吸収性物品において、
前記吸収層が以下のa)及びb)の物質を含有する制臭シートを有し、該制臭シートは、a)及びb)の物質が互いに分散混合されて形成された層から構成されるか、又はa)の物質を含有する層とb)の物質を含有する層とが互いに隣接してなる層から構成され、該制臭シートにおけるa)の含有量が２０〜８０重量％であり、
９００ｍＬのガラス容器に以下の液を以下の量導入し、次いで直ちに該ガラス容器に前記吸収性物品を入れて密封し２５℃で以下の時間保存した後の該ガラス容器中における以下のガスの濃度が以下の通りである吸収性物品。
a)繊維径０．１〜２０μｍの水に膨潤しない親水性繊維。
b)制臭剤。
・２９重量％アンモニア水溶液０．１μＬを導入し、前記密封した後のアンモニアガスの濃度
３０分後に１０ｐｐｍ未満。
３時間後に５ｐｐｍ以下。
・１μｇ／μＬメチルメルカプタン（ベンゼン溶液）１００μＬを導入し、前記密封した後のメチルメルカプタンガスの濃度
３０分後に２０ｐｐｍ以下。
３時間後に２ｐｐｍ以下。
【請求項６】
以下の液を吸収させた前記吸収性物品を９００ｍＬのガラス容器に入れ、直ちに該ガラス容器を密封し２５℃で以下の時間保存した後の該ガラス容器中における以下のガスの濃度が以下の通りである請求項５記載の吸収性物品。
・２９重量％アンモニア水溶液６０μＬ及び生理食塩水５ｍＬをこの順に同じ部位に吸収させた前記吸収性物品を前記ガラス容器に入れ、前記密封した後のアンモニアガスの濃度
３０分後に２０ｐｐｍ以下。
３時間後に７ｐｐｍ以下。
・１μｇ／μＬメチルメルカプタン（ベンゼン溶液）１００μＬ及び生理食塩水５ｍＬをこの順に同じ部位に吸収させた前記吸収性物品を前記ガラス容器に入れ、前記密封した後のメチルメルカプタンガスの濃度
３０分後に１０ｐｐｍ以下。
３時間後に２ｐｐｍ以下。
【請求項７】
９００ｍＬのガラス容器に以下の液を以下の量導入し、直ちに該ガラス容器に、以下の液を吸収させた前記吸収性物品を入れて密封し２５℃で以下の時間保存した後の該ガラス容器中における以下のガスの濃度が以下の通りである請求項５又は６記載の吸収性物品。
・２９重量％アンモニア水溶液６０μＬ及び生理食塩水５ｍＬをこの順に前記吸収性物品の同じ部位に予め吸収させておき、２９重量％アンモニア水溶液０．１μＬが導入された前記ガラス容器内に前記吸収性物品を入れて該ガラス容器を密封した後のアンモニアガスの濃度
３０分後に２０ｐｐｍ以下。
３時間後に７ｐｐｍ以下。
・１μｇ／μＬメチルメルカプタン（ベンゼン溶液）１００μＬ及び生理食塩水５ｍＬをこの順に前記吸収性物品の同じ部位に予め吸収させておき、１μｇ／μＬメチルメルカプタン（ベンゼン溶液）１００μＬが導入された前記ガラス容器内に前記吸収性物品を入れて該ガラス容器を密封した後のメチルメルカプタンガスの濃度
３０分後に２０ｐｍ以下。
３時間後に２ｐｐｍ以下。
【発明の詳細な説明】
【０００１】
【発明の属する技術分野】
本発明は、生理用ナプキン、使い捨ておむつ、失禁パッド、パンティライナー、ペット用シート等の吸収性物品に関し、更に詳しくは制臭効果が高く且つ漏れの少ない吸収性物品に関する。
【０００２】
【従来の技術及び発明が解決しようとする課題】
消臭機能を付与した吸収性物品に関する従来の技術としては、例えば特開昭５８−１３８４５２号公報、特開昭５９−１０５４４８号公報及び特開平２−２５２５５５号公報に記載のもの等が知られている。しかし、これらの公報に記載の技術においては、消臭剤の周囲に紙やパルプ等の親水性材料が存在しているため、吸収された液がこれら紙やパルプに残ってしまい、所望の消臭効果が発現されず、消臭効果に乏しいものとなる。
【０００３】
また、前述の公報以外にも、吸収性物品の吸収体等に各種消臭剤や芳香剤を配合し、経血に由来する臭いを低減させる試みが数多くなされている。典型的には以下の(1) 〜(3) のタイプのものが知られている。
(1) 各種臭いを吸着し消臭する材料を配合して乾燥状態（吸液していない状態）での消臭機能を設計しているもの。
(2) 包接化合物等に香料を封じ込め、経血の吸収・湿潤時に香料を放出することによって、マスキング作用で臭いを感じなくするもの。
(3) 吸収性物品全体の通気性向上、或いは抗菌剤（殺菌剤）の配合により、雑菌の繁殖を抑制し、雑菌の代謝産物由来の臭いの発生、増大を抑制するもの。
【０００４】
(1) のタイプは、消臭機能として本質的に重要であるが、液（排泄物）の吸収状態を考慮していないため、実使用場面においては経血、おりもの、尿等の体液の吸収に伴う湿潤によって、十分な消臭能力が発現しない。(2) のタイプでは、香りによるマスキングであらゆる臭いを感知できなくすることは極めて困難であり、また現実的には、保管時に吸湿して香料が放出されてしまったり、経時的に分解して香りがなくなってしまう。(3) のタイプは、おむつや失禁パッドのように尿の分解で発生するアンモニアを消臭の対象とする場合には有効であるが、特に、経血やおりもののように体外に排泄された直後から強い臭いを発する液を消臭する場合には何ら有効でない。更に、(1) 〜(3) のタイプに共通する問題として、経血、おりものの臭いは成分が多種多様で、かつ排泄された直後から高濃度であるため、すべての臭いに対して、十分に臭いを低減できないことが挙げられる。
【０００５】
従って、本発明は、制臭効果が高く且つ漏れの少ない吸収性物品を提供することを目的とする。
【０００６】
【課題を解決するための手段】
本発明は、液透過性の表面層、液不透過性の防漏層及び両層間に介在された液保持性の吸収層を有する吸収性物品において、
前記吸収層が以下のa)及びb)の物質並びに高吸収性ポリマーを含有する制臭シートを有し、該制臭シートは、a)及びb)の物質が互いに分散混合されて形成された層から構成されるか、又はa)の物質を含有する層とb)の物質を含有する層とが互いに隣接してなる層から構成され、
前記シートにおけるa)の物質の含有量が２０〜８０重量％、b)の物質の含有量が１０〜６０重量％、前記高吸収性ポリマーの含有量が１０〜６０重量％であり、
前記シートの生理食塩水に対する１分後のクレム吸水度（JIS P 8141）が４０ｍｍ以上である吸収性物品を提供することにより前記目的を達成したものである。
a)繊維径０．１〜２０μｍの水に膨潤しない親水性繊維。
b)制臭剤。
【０００７】
また本発明は、液透過性の表面層、液不透過性の防漏層及び両層間に介在された液保持性の吸収層を有する吸収性物品において、
前記吸収層が以下のa)及びb)の物質を含有する制臭シートを有し、該制臭シートは、a)及びb)の物質が互いに分散混合されて形成された層から構成されるか、又はa)の物質を含有する層とb)の物質を含有する層とが互いに隣接してなる層から構成され、該制臭シートにおけるa)の含有量が２０〜８０重量％であり、
９００ｍＬのガラス容器に以下の液を以下の量導入し、次いで直ちに該ガラス容器に前記吸収性物品を入れて密封し２５℃で以下の時間保存した後の該ガラス容器中における以下のガスの濃度が以下の通りである吸収性物品を提供することにより前記目的を達成したものである。
a)繊維径０．１〜２０μｍの水に膨潤しない親水性繊維。
b)制臭剤。
・２９重量％アンモニア水溶液０．１μＬを導入し、前記密封した後のアンモニアガスの濃度
３０分後に１０ｐｐｍ未満。
３時間後に５ｐｐｍ以下。
・１μｇ／μＬメチルメルカプタン（ベンゼン溶液）１００μＬを導入し、前記密封した後のメチルメルカプタンガスの濃度
３０分後に２０ｐｐｍ以下。
３時間後に２ｐｐｍ以下。
【０００８】
【発明の実施の形態】
以下本発明を、その好ましい実施形態に基づき図面を参照しながら説明する。図１には本発明の吸収性物品の一実施形態としての生理用ナプキンの幅方向断面図が示されている。
【０００９】
この生理用ナプキン１は、実質的に縦長の形状をしており、液透過性の表面層としてのトップシート２、液不透過性の防漏層としてのバックシート３、及び両シート間に介在された液保持性層の吸収層としての吸収体４を備えている。詳細には、吸収体４は、その裏面が防漏シート６に当接するように該防漏シート６上に載置される。吸収体４と防漏シート６とは、ホットメルト粘着剤５によって接合固定されている。そして吸収体４の幅方向両側部から延出する防漏シート６が、吸収体４の上面側に巻き上げられ、吸収体４の上面側の幅方向両側部を覆っている。更にこの上をトップシート２が覆っている。吸収体４の幅方向両側部から延出するトップシート２は、吸収体４の裏面側に折り込まれ、吸収体４の裏面側を覆う防漏シート６と、ホットメルト粘着剤５によって接合固定されている。吸収体４の裏面側を覆う防漏シート６の外側の面にはホットメルト粘着剤５がスパイラル状に塗布されている。吸収体４の裏面側に折り込まれたトップシート２の外側の面にもホットメルト粘着剤５が塗布されている。これらのホットメルト粘着剤塗布面上に防漏層としてのバックシート３が接着固定されている。バックシート３の外側の面にはナプキン１を着用者の着衣に固定するための粘着剤７が帯状に２箇所塗布されている。粘着剤７は剥離紙８によって保護されている。また、吸収体４の前後端から延出するトップシート２、バックシート３及び防漏シート６が、ヒートシールによって互いに接合固定されている（図示せず）。ナプキン１を構成するこれらの部材としては、従来のナプキンに用いられているものと同様のものを用いることができる。
【００１０】
吸収体４は制臭部９を有している。本実施形態においては、吸収体４全体が制臭部９となっている。本実施形態の制臭部９（吸収体４）は、以下のa)及びb)の物質を含有する。
a)繊維径０．１〜２０μｍの水に膨潤しない親水性繊維。
b)制臭剤。
【００１１】
ナプキンが前記a)及びb)の物質を含有する制臭部を有することにより、ナプキンに吸収された液（この液は悪臭の発生源である）が、前記a)の物質の表面に滞留しずらくなり、前記b)の物質である制臭剤に向かって集められ、集められた液が該制臭剤によって速やかに制臭され、悪臭の発生が防止される。前記a)の物質は、体液を吸収しても、それ自身は膨潤しないか又は膨潤が少ないので、制臭部内に存する空間（例えば、繊維を用いた場合には繊維空間）が密にならない。また、液を吸収した時の弾性率の低下も少ないので、前記空間が初期の状態を安定に保てる。従って、体液が前記空間に残り難い。また、前記a)の物質は親水性であるので、吸収した液を前記b)の物質である制臭剤まで素早く導く。
【００１２】
前記a)の物質における水に膨潤しない親水性繊維の構成材料としては、自身が膨潤しない樹脂、例えばポリエチレン、ポリプロピレン、ポリエステル、ポリウレタン、及びこれらの２種以上の複合体等の合成樹脂が挙げられる。これらの合成樹脂は、その表面が疎水性なので親水化処理をすることが必要である。親水化処理の方法としては、前記合成樹脂からなる繊維を成形後、界面活性剤の溶液を噴霧・塗工し、その表面に付着させるか、又は、予め親水性の界面活性剤を前記合成樹脂に練り込み、その後、繊維を成形し、その表面に界面活性剤をブリードさせる方法等がある。
【００１３】
親水化処理に用いられる界面活性剤としては、親油基と親水基を持つ親水性の界面活性剤であれば何れでも良いが、アニオン系界面活性剤、及びエチレンオキサイド系の付加モル数の高いノニオン系界面活性剤が好ましい。具体的には、スルホコハク酸エステル、アルキルエーテルサルフェート、ポリオキシエチレンアルキルエーテル、ポリオキシエチレンアルキルフェニルエーテル、グリセリン脂肪酸エステルなどがある。これらの界面活性剤は、単独で又は混合物で使用できる。これらの界面活性剤のうち、前記合成樹脂に対する割合が０．０５〜３重量％程度で十分な親水性を付与できるものが好ましい。
【００１４】
水に膨潤しない親水性繊維の構成材料の別の例としては、親水化処理する必要のない材料、即ち自身が親水性表面を有する材料が挙げられる。具体的にはセルロース、ポリビニルアルコール、アクリル樹脂からなる繊維、例えばレーヨン繊維、ポリビニルアルコール繊維等が挙げられる。
【００１５】
（削除）
【００１６】
（削除）
【００１７】
制臭部９におけるa)の物質の含有量は２０〜８０重量％であり、好ましくは３０〜６０重量％である。含有量が２０重量％未満では制臭部全体の強度不足に加え、制臭剤全体に体液を拡散させる能力が低下して制臭効果が不充分であり、８０重量％超では制臭剤の配合量が少ない為に高い制臭能力を期待できない。
【００１８】
本発明における制臭剤とは、悪臭を吸収する消臭剤及び脱臭剤、悪臭の発生を防止する防臭剤、悪臭を他の臭いでマスキングする芳香剤等の悪臭に対する知覚を抑制する物質一般を意味する。また制臭とは、悪臭の吸収、悪臭の発生防止、悪臭を他の臭いでマスキングする等の悪臭に対する知覚を抑制することをいう。
【００１９】
例えば、防臭剤としては、銀、亜鉛、銅などの金属イオンを含むキレート剤、及びこれらの金属イオンを担持する物質（例えば金属イオン含浸ゼオライト）などが挙げられる。
【００２０】
消臭剤及び脱臭剤としては、(1) 中性活性炭、繊維化炭素吸着剤、ゼオライト、アモルファスシリカ、ベントナイト等の粘土鉱物、活性アルミナ及び酸性白土等の物理吸着脱臭剤、(2) 酸性剤、アルカリ性剤、酸化剤及び還元剤等の化学脱臭剤、(3) アルカリ性または酸性添着活性炭、植物性精油を吸着させたゼオライト等の物理・化学脱臭剤、並びに(4) 鉄フタロシアニン誘導体、酸化亜鉛等の脱硫作用を有する塩、鉄（II）化合物をＬ−アスコルビン酸とミョウバンとの混合物などが挙げられる。
【００２１】
芳香剤としては、(1) アルコール系香料、単糖類、オリゴ糖類及び多糖類からなる配糖体等の香料の配糖体、(2) グリセリンとカルボン酸系香料（安息香酸、桂皮酸など）とのモノグリセライド、ジグリセライド及びトリグリセライド等のグリセリド、(3) アルコール系香料、カルボン酸系香料又はアミン系香料（インドール、スカトールなど）のアミノ酸誘導体又はペプチド誘導体などが挙げられる。
【００２２】
（削除）
【００２３】
本実施形態においては、制臭部９は、a)及びb)の物質が互いに分散混合されて形成された制臭シート１０が、Ｃ字状に折り畳まれて構成されている。
【００２４】
制臭シート１０は、a)の水に膨潤しない親水性繊維と、b)の制臭剤とを含有している。また、親水性繊維に液が残ることを一層防止して制臭効果を一層高めるために、制臭シート１０は高吸収性ポリマーを含有している。即ち、高吸収性ポリマーを配合することで、悪臭の発生源である体液が高吸収性ポリマーに吸収・固定されるため、制臭効果が向上する。この場合、制臭シート１０における親水性繊維の含有量は２０〜８０％であり、３０〜６０重量％であることが好ましい。制臭剤の含有量は１０〜６０重量％であり、１０〜５０重量％であることが好ましい。高吸収性ポリマーの含有量は１０〜６０重量％であり、２０〜５０重量％であることが好ましい。尚、高吸収性ポリマーとしては、従来の吸収性物品に用いられているものと同様のものを用いることができる。
【００２５】
制臭剤は高吸収性ポリマーを介して親水性繊維に接着固定されていることが、制臭剤の脱落防止等の点から好ましい。斯かる接着固定を行うには、例えば、湿潤状態にある親水性繊維のウエブに高吸収性ポリマーを散布して該ポリマー膨潤させることで粘着性を発現させ、そこに制臭剤を散布すればよい。
【００２６】
制臭シート１０の強度を高めたり、或いは制臭剤の制臭シート１０への固定性を高めるために、制臭シート１０に結合剤を含有させてもよい。結合剤としては、ポリエチレン、ポリプロピレン及びポリエステル等の合成繊維、ポリエチレンとポリプロピレンとの複合繊維並びにポリエチレンとポリエステルとの複合繊維等の熱溶融性接着繊維；熱水で溶解するポリビニルアルコール繊維等の接着性繊維；カルボキシメチルセルロース、カイメン及びジアルデヒドデンプン等の抄紙用助剤などが挙げられる。結合剤は、制臭シート１０に０．１〜３０重量％、特に０．５〜１０重量％含有されることが好ましい。
【００２７】
制臭剤の機能を効果的に発現させるために、制臭シート１０における液の拡散性を向上させることが望ましい。具体的には、制臭シート１０は、JIS P 8141に準じて測定された生理食塩水に対する１分後のクレム吸水度が４０ｍｍ以上であり、５０ｍｍ以上であることが好ましい。この様な拡散性は、親水性繊維を適切に選択することによって得ることができる。
【００２８】
例えば、親水性繊維として、水に膨潤しない合成繊維を親水化処理した繊維を用いる場合には、繊維径を小さくして繊維の比表面積を高くすればよい。この場合の平均繊維径は０．１〜２０μｍであり、０．１〜１０μｍであることが好ましい。このような平均繊維径を有する繊維を含む制臭シートを得るには、例えば制臭シートの基材として、繊維を極細にできるメルトブローン不織布を用いることが好ましい。
【００２９】
（削除）
【００３０】
本実施形態においては、吸収層４がすべて制臭部９から構成されているが、本発明においては、制臭部は吸収層の一部を構成し、吸収層の何れかの部分に配されていてもよい。この場合、吸収層を構成するその他の素材としてはフラッフパルプ、高吸収性ポリマー、吸収紙等が用いられる。吸収層４全体の重量に対するa)の物質の含有量は、５〜７０重量％、特に１０〜６０重量％で、b)の物質の含有量は、５〜７０重量％、特に１０〜５０重量％であることが、吸収層４が所望の吸収性能を保ちながら十分な制臭性能を発揮する点から好ましい。吸収層４全体の重量に対する制臭部の重量の割合は、１０重量％以上、特に２０重量％以上であることが、十分な制臭性能を発揮する点から好ましい。
【００３１】
制臭部が配される位置に特に制限は無いが、吸収層の最上部（即ち、最も肌当接面側）に配することが、吸収された液からの悪臭の発生が効果的に防止できる点から好ましい。制臭部を吸収層の最上部に配する場合、該最上部においては、吸収層の肌当接面側の面積の５０％以上、特に７０〜１００％が制臭部で構成されていることが好ましい。
【００３２】
防漏層としてのバックシートが水蒸気透過性である場合、装着環境において湿度上昇が抑えられるので、装着中のムレ感がなく快適となる。また、このため、細菌による体液の腐敗の進行が抑えられ、悪臭の発生及び増大が防止される。但し、バックシートが水蒸気透過性である場合には、吸収された体液から悪臭が発生すると、該悪臭がバックシートを通して外部に発散するおそれがある。そこで、水蒸気透過性の防漏層を用いる場合には、吸収層における制臭部を防漏層に隣接して配することが好ましい。
【００３３】
図２には、制臭部が吸収層の最上部に配され且つ防漏層に隣接して配された実施形態（第２の実施形態）の生理用ナプキンが示されている。詳細には、吸収部４は、フラッフパルプと高吸収性ポリマーとの分散混合物からなる吸収保持部１１と、この上下面及び両側面を被覆する制臭シート１０からなる制臭部９とから構成されている。吸収部４はトップシート２と水蒸気透過性のバックシート３との間に介在され、吸収部４の下面側にホットメルト粘着剤５がスパイラル状に塗布されて、吸収部４とバックシート３とが接合固定されている。また、吸収部４の両側縁から延出するトップシート２とバックシート３とがホットメルト粘着剤５によって接合固定されている。本実施形態のナプキン１によっても、吸収された液からの悪臭の発生が効果的に防止される。
【００３４】
本発明者らは、実際に使用された生理用ナプキン及びおりものシートを、後述するガラス容器内に密封保存し、後述の条件下で３０分放置した後に発生するガスを分析したところ、下記の如く多種多量のガスが悪臭として発生することを見出した。
・アンモニア：最大で十数ｐｐｍ
・メルカプタン類：最大で数十ｐｐｍ
・アミン類：最大で百数十ｐｐｍ
・脂肪酸類：最大で十数ｐｐｍ
・ケトン類他：最大で数十ｐｐｍ
そして、本発明者らは、更に検討を押し進めたところ、吸収性物品に要求されている制臭性能として、以下に述べる乾式制臭能、湿式制臭能及び複合制臭能が重要であることを見出し、これらの制臭性能が特定の条件を満たすことによって、着用者が満足する制臭性能を有する吸収性物品の提供が可能となることを知見した。
【００３５】
即ち、本発明の吸収性物品は、乾燥状態、つまり体液を吸収する前での制臭特性（以下、乾式制臭能という）が以下の通りとなる。９００ｍＬのガラス容器に２９重量％アンモニア水溶液〔関東化学（株）製〕０．１μＬをマイクロシリンジにて正確に注入して導入し、次いで直ちに該ガラス容器に吸収性物品を入れて密封し、２５℃で３０分間及び３時間保存した後の該ガラス容器中におけるアンモニアガスの濃度が以下の通りである。
３０分後のアンモニアガスの濃度１０ｐｐｍ未満、好ましくは５ｐｐｍ以下。
３時間後のアンモニアガスの濃度５ｐｐｍ以下、好ましくは３ｐｐｍ以下。
また、９００ｍＬのガラス容器に、臭気測定用メチルメルカプタン〔１μｇ／μＬベンゼン溶液、和光純薬（株）製〕１００μＬをマイクロシリンジにて正確に注入して導入し、次いで直ちに該ガラス容器内に吸収性物品を入れて密封し、２５℃で３０分間及び３時間保存した後の該ガラス容器中におけるメチルメルカプタンガスの濃度が以下の通りである。
３０分後のメチルメルカプタンガスの濃度２０ｐｐｍ以下、好ましくは１０ｐｐｍ以下。
３時間後のメチルメルカプタンガスの濃度２ｐｐｍ以下、好ましくは１ｐｐｍ以下。
【００３６】
前記乾式制臭能は、本発明の吸収性物品において最も基礎的な制臭能力であり、詳細には、吸収性物品を装着後、殆ど液を吸収していない状態において、悪臭（例えば身体に付着した液や身体からガスとして排泄される悪臭等）を制臭する能力である。アンモニアガス及びメチルメルカプタンガスは何れも排泄された体液に由来する悪臭成分である。アンモニアガスの濃度が１０ｐｐｍ以上になると悪臭として本人に知覚されるおそれがあり、特に数１０ｐｐｍ以上となると周囲の人に知覚されるおそれが高まる。またメチルメルカプタンガスの濃度が数〜１０ｐｐｍ程度になると悪臭として本人に知覚されるおそれがあり、特に２０ｐｐｍ以上となると周囲の人に知覚されるおそれが高まる。そして、本発明の吸収性物品の乾式制臭能に関し、アンモニアガス及びメチルメルカプタンガスの３０分後及び３時間後の濃度がそれぞれ前述の通りであることによって、排泄された体液から発生した悪臭が速やかに（３０分以内）最低限知覚され難い水準まで制臭され、更に生理用品の平均的な装着時間（２〜３時間）の間にほぼ完全に制臭される。
【００３７】
前記乾式制臭能は、以下の方法で測定される。密栓可能な９００ｍＬのガラス容器を用い、該ガラス容器内に所定量の各液をマイクロシリンジで導入し、直ちに吸収性物品を該ガラス容器内に入れ密栓する。各液は、水溶液又はその他の溶剤の溶液の形で導入される。本発明においては、アンモニアガスは２９重量％の水溶液として導入され、またメチルメルカプタンガスは１μｇ／μＬベンゼン溶液として導入される。この時点でのガラス容器内でのアンモニアガス及びメチルメルカプタンの濃度（初期濃度）は、それぞれ約２００ｐｐｍ及び約８０ｐｐｍである。密栓して３０分経過後、ガスが容器外へ発散しない様に蓋を僅かに開け、（株）ガステック製の検知器（アンモニアガス用にはNo.3L 又はNo.3La、メチルメルカプタンガス用にはNo.70 又はNo.70Lを濃度によって使い分ける）を用いて各ガスの濃度を測定する。３時間後のガス濃度は同様に調製した別のガラス容器について測定する。即ち、同一のガラス容器で３０分後及び３時間後のガス濃度を測定しない。尚、使用するガラス容器は、容量９００ｍＬの密栓可能で臭いが付着していないものなら適宜使用可能である。吸収性物品の投入やガス吸引の容易さからは、広口ビンが望ましい。ＵＭサンプルビン（９００ｍＬ）等の実験機器の他、東洋ガラス（株）製のマヨネーズビン（９００ｍＬ）等の汎用のビンも好適に使用可能である。本発明においては後者を用いている。
【００３８】
各々のガス濃度は、具体的には以下のように測定される。
(1) ガス吸引装置
何れも共通で、（株）ガステック製ＧＶ−１００Ｓを使用し、一回の吸引で１００ｍＬのガスを吸引する。吸引保持時間は用法に従い１分とした。
(2) アンモニア濃度
高濃度（３０ｐｐｍ以上）の場合は（株）ガステック製検知器No.3Laを、低濃度（３０ｐｐｍ未満）の場合は同社製検知器No.3L をそれぞれ使用して、検知器が変色した範囲からアンモニア濃度を求める。
(3) メチルメルカプタン濃度
高濃度（５ｐｐｍ以上）の場合は（株）ガステック製検知器No.70 を、低濃度（４ｐｐｍ以下）の場合は同社製検知器No.70Lをそれぞれ使用して、検知器が変色した範囲からメチルメルカプタン濃度を求める。
変色が検知器の目盛りの中間で止まった時には、上下の目盛りの値を利用して比例計算で濃度を求める。測定はそれぞれ３回（３つの検体）行い、その平均値を算出する。何れの測定においても１回の測定で容器内のガス１００ｍＬを吸引消費する為、誤差の発生の原因となる繰り返し測定は行わない。従って、同じガス濃度測定に対し３０分後の測定と３時間後の測定は、別々の検体を用意してそれぞれ実施する。
【００３９】
また、本発明の吸収性物品は、好ましくは吸液して湿潤した状態における制臭特性（以下、湿式制臭能という）が以下の通りである。即ち、２９重量％アンモニア水溶液６０μＬ及び生理食塩水５ｍＬをこの順に吸収性物品の同じ部位に予め吸収させた直後に、これを９００ｍＬのガラス容器に入れ、直ちに該ガラス容器を密封し２５℃で３０分間及び３時間保存した後のアンモニアガスの濃度が以下の通りである。
３０分後のアンモニアガスの濃度が好ましくは２０ｐｐｍ以下、更に好ましくは１５ｐｐｍ以下。
３時間後のアンモニアガスの濃度が好ましくは７ｐｐｍ以下、更に好ましくは５ｐｐｍ以下。
また、１μｇ／μＬメチルメルカプタン（ベンゼン溶液）１００μＬ及び生理食塩水５ｍＬをこの順に吸収性物品の同じ部位に予め吸収させ、前記と同様にして３０分間及び３時間保存した後のメチルメルカプタンガスの濃度が以下の通りである。
３０分後のメチルメルカプタンガスの濃度が好ましくは１０ｐｐｍ以下、更に好ましくは５ｐｐｍ以下。
３時間後のメチルメルカプタンガスの濃度が好ましくは２ｐｐｍ以下、更に好ましくは１ｐｐｍ以下。
【００４０】
前記湿式制臭能は、本発明の吸収性物品が吸液して湿潤しても制臭する能力を意味し、詳細には吸収性物品に吸収された体液から発生する臭いを、外に漏らさず閉じこめておく能力である。即ち、悪臭成分は、経血等の体液に溶け込んで液として体外に排泄されるものが圧倒的に多い。従って、体液が一旦吸収性物品に吸収された後、吸収性物品から悪臭がガスとして分離して吸収性物品の外に出てくることがないように確実にトラップすることが出来れば、制臭効果が極めて高いといえる。これが前記湿式制臭能である。湿式制臭能に必要な条件は、乾式制臭能と基本的に同様であるが、臭いの濃度変化が湿式と乾式とで異なり、湿式制臭能においては少なくとも短期（３０分後）の臭いの濃度が乾式制臭能に比べより重要となる。即ち、乾式制臭能では、臭いの濃度が初期から単調減少するが、湿式制臭能では、液の注入及び密封直後からしばらくの間は臭いが吸収性物品の外に発散するため、一旦臭いの濃度が急速に増大し、濃度のピーク値をとった後に減少していく過程をとり、３０分後には単調減少に移行する。従って、０〜３０分の間に臭いの濃度のピークが存在し、このピーク濃度を十分に低減しないと臭いが周囲の人に知覚されてしまう。
【００４１】
前記ピーク濃度は体液の性状や分布状態等で振れが大きく、ピーク濃度をもって湿式制臭能を規定するのは困難である。一方で、濃度が安定する３０分後の臭い濃度を十分に下げられる吸収性物品ならば、該ピーク濃度も著しく高くはならないため有効な制臭性能が発揮される。そこでこの３０分後の臭い濃度を湿式制臭能の尺度としている。湿式制臭能に関し、アンモニアガス及びメルカプタンガスの３０分後の濃度が前述の通りであることによって、体液からの発散に起因する悪臭の濃度の急速な増大が抑制され、最低限知覚され難い水準に留めおくことが可能となる。更に３時間後のアンモニアガス及びメチルメルカプタンガスの濃度が前述の通りであることによって、生理用品の平均的な装着時間（２〜３時間）の間ほぼ完全に制臭される。
【００４２】
前記湿式制臭能は、以下の方法で測定される。吸収性物品の略中央部に前記液を注入する。直ちに、密栓可能な９００ｍＬのガラス容器内にこの吸収性物品を入れ密栓する。アンモニア水溶液及びメチルメルカプタンはそれぞれマイクロシリンジにて注入する。生理食塩水はメスピペット又はホールピペットにて注入する。各ガス濃度は、乾式制臭能の場合と同様に測定する。
【００４３】
また、本発明の吸収性物品は、好ましくは、吸液した後に更に身体から発生した悪臭の制臭特性（以下、複合制臭能という）が以下の通りである。即ち、９００ｍＬのガラス容器に２９重量％アンモニア水溶液を０．１μＬ導入し、直ちに該ガラス容器に、予め２９重量％アンモニア水溶液６０μＬ及び生理食塩水５ｍＬをこの順に吸収させておいた吸収性物品を入れて密封し、２５℃で３０分間及び３時間保存した後の該ガラス容器中におけるアンモニアガスの濃度が以下の通りである。
３０分後のアンモニアガスの濃度が好ましくは２０ｐｐｍ以下、更に好ましくは１５ｐｐｍ以下、特に好ましくは１０ｐｐｍ以下。
３時間後のアンモニアガスの濃度が好ましくは７ｐｐｍ以下、更に好ましくは５ｐｐｍ以下、特に好ましくは２ｐｐｍ以下。
また、９００ｍＬのガラス容器に１μｇ／μＬメチルメルカプタン（ベンゼン溶液）を１００μＬ導入し、直ちに該ガラス容器に、予め１μｇ／μＬメチルメルカプタン（ベンゼン溶液）１００μＬ及び生理食塩水５ｍＬをこの順に吸収させておいた吸収性物品を入れて密封し、２５℃で３０分間及び３時間保存した後の該ガラス容器中におけるメチルメルカプタンガスの濃度が以下の通りである。
３０分後のメチルメルカプタンガスの濃度が好ましくは２０ｐｐｍ以下、更に好ましくは１０ｐｐｍ以下、特に好ましくは５ｐｐｍ以下。
３時間後のメチルメルカプタンガスの濃度が好ましくは２ｐｐｍ以下、更に好ましくは１ｐｐｍ以下。
【００４４】
複合制臭能は、吸収性物品の実使用場面での総合的な制臭能の判断に有効な指標となる。実使用場面において吸収性物品は次のような制臭性能の低下に晒される。
1)制臭剤が体液で濡れることに起因する悪臭の制臭性能の低下。
2)繰り返し悪臭を制臭することに起因する制臭性能の低下（特に、飽和吸着よる吸着性能喪失）。
複合制臭能に要求される性能は、一旦体液を吸収した後においても悪臭を制臭する能力である。そして、本発明の吸収性物品は、複合制臭能に関し、アンモニアガス及びメチルメルカプタンガスの３０分後の濃度が前述の通りであることによって、体液を吸収した後においても、体液から発生する悪臭を速やかに（３０分以内）最低限知覚され難い水準に制臭できる。特に、３０分後の濃度を、アンモニアガスで２０ｐｐｍ以下、メチルメルカプタンガスで２０ｐｐｍ以下に抑えられれば吸収性物品内部からのガス再放出に起因するピーク濃度も現れず、悪臭が知覚されるおそれが一層少なくなる。一方、３時間後の濃度が前述の通りであることによって、生理用品の平均的な装着時間（２〜３時間）の間にほぼ完全に制臭できる。
【００４５】
前記複合制臭能は、以下の方法で測定される。即ち、乾式制臭能の測定方法と同様にして、密栓可能な９００ｍＬのガラス容器に２９重量％アンモニア水溶液０．１μＬ又は１μｇ／μＬメチルメルカプタン（ベンゼン溶液）を導入する。導入後直ちに、湿式制臭能の測定方法と同様にして調製された、略中央部に、２９重量％アンモニア水溶液６０μＬ及び生理食塩水５ｍＬがこの順で吸収されているか１μｇ／μＬメチルメルカプタン（ベンゼン溶液）及び生理食塩水５ｍＬがこの順で吸収されている吸収性物品を該ガラス容器内に入れ密栓する（該吸収性物品はこれらの液を吸収させた後直ちにガラス容器内に入れる）。その後は、乾式制臭能の測定方法と同様にして各ガスの濃度を測定する。
【００４６】
本発明の吸収性物品は、アンモニア及びメルカプタン類以外に経血やおりものから発生するその他の悪臭に対しても良好な乾式制臭能、湿式制臭能及び複合制臭能を発現する。
【００４７】
具体的には、乾式制臭能に関し、ジエチルアミン及び酢酸に対する乾式制臭能（２５℃）が以下の通りである。尚、ガラス容器内へのジエチルアミンの導入量は０．２μＬ、酢酸の導入量は０．０８μＬである。
３０分後のジエチルアミンガス濃度が好ましくは２０ｐｐｍ以下、更に好ましくは１０ｐｐｍ以下。
３時間後のジエチルアミンガス濃度が好ましくは１０ｐｐｍ以下、更に好ましくは５ｐｐｍ以下。
３０分後の酢酸ガス濃度が好ましくは１０ｐｐｍ以下、更に好ましくは７ｐｐｍ以下。
３時間後の酢酸ガス濃度が好ましくは１０ｐｐｍ以下、更に好ましくは５ｐｐｍ以下。
【００４８】
また、湿式制臭能に関し、ジエチルアミン及び酢酸に対する湿式制臭能（２５℃）が以下の通りである。尚、吸収性物品への液の注入は、ジエチルアミンに関しては、ジエチルアミン１００μＬをマイクロシリンジで注入し、次いで生理食塩水５ｍＬをメスピペット又はホールピペットで注入する。酢酸に関しては、酢酸８０μＬをマイクロシリンジで注入し、次いで生理食塩水５ｍＬをメスピペット又はホールピペットで注入する。
３０分後のジエチルアミンガス濃度が好ましくは２０ｐｐｍ以下、更に好ましくは１０ｐｐｍ以下。
３時間後のジエチルアミンガス濃度が好ましくは１０ｐｐｍ以下、更に好ましくは５ｐｐｍ以下。
３０分後の酢酸ガス濃度が好ましくは１０ｐｐｍ以下、更に好ましくは７ｐｐｍ以下。
３時間後の酢酸ガス濃度が好ましくは１０ｐｐｍ以下、更に好ましくは５ｐｐｍ以下。
【００４９】
更に、複合制臭能に関し、ジエチルアミン及び酢酸に対する複合制臭能（２５℃）が以下の通りである。尚、ガラス容器へのジエチルアミン及び酢酸の導入は乾式制臭能と同様であり、吸収性物品への液の注入は湿式制臭能と同様である。  ３０分後のジエチルアミンガス濃度が好ましくは４０ｐｐｍ以下、更に好ましくは２０ｐｐｍ以下。
３時間後のジエチルアミンガス濃度が好ましくは１０ｐｐｍ以下、更に好ましくは７ｐｐｍ以下。
３０分後の酢酸ガス濃度が好ましくは２０ｐｐｍ以下、更に好ましくは１５ｐｐｍ以下。
３時間後の酢酸ガス濃度が好ましくは１０ｐｐｍ以下、更に好ましくは５ｐｐｍ以下。
【００５０】
ジエチルアミン及び酢酸に対する乾式制臭能、湿式制臭能及び複合制臭能に関し、ジエチルアミンの濃度は、（株）ガステック製ＧＶ−１００Ｓを使用して測定した。濃度１０ｐｐｍ未満の場合は（株）ガステック製検知器No.180L を、１０〜１００ｐｐｍの場合は同社製検知器No.180を用い用法に従って測定した。それ以上の濃度の場合は同社製検知器No.180を用い吸引量を変えて測定した。酢酸の濃度も同様の装置を用いて測定した。濃度１０ｐｐｍ未満の場合は（株）ガステック製検知器No.81Lを、それ以上の濃度の場合は同社製検知器No.81 を用い用法に従って測定した。
【００５１】
従来の吸収性物品では、特に前記湿式制臭能及び複合制臭能に関し、吸収性物品に吸収された体液から発生する悪臭を十分に閉じこめることができず、十分な制臭効果が発生しなかった。これに対し、本発明の吸収性物品は、前述の制臭部を有しているので、吸収性物品に吸収された体液から発生する悪臭の閉じこめ効果に優れ、それによって各種悪臭に対して及び各温度下において（特に体温付近の高温下）優れた制臭効果を示す。
【００５２】
特に、従来の吸収性物品においては、制臭性能に対する温度（体温）の影響が看過されてきた。体温によって吸収性物品が加温されると、室温よりも大きな負荷が吸収性物品及び制臭剤にかかり、制臭剤のガス吸着能力が相対的に低下し、またガスが拡散し易くなる。具体的には、装着中に体温によって加温され且つ吸液がなされた吸収性物品においては、以下の1)〜3)の現象が生じる。
1)制臭剤の機能の低下
2)排泄された体液から発生する悪臭の量の増加
3)排泄物の腐敗の進行に伴う悪臭の量の増加。
しかし、本発明の吸収性物品によれば、体温に近い温度下においても充分な制臭性能が発現する。
【００５３】
具体的には、前述した乾式制臭能に関し、保存温度を４０℃に上げたときの同温度で測定された制臭能が以下の通りとなる。
・３０分後のアンモニアガスの濃度が好ましくは１５ｐｐｍ以下、更に好ましくは１０ｐｐｍ以下、一層好ましくは５ｐｐｍ以下。
・３時間後のアンモニアガスの濃度が好ましくは７ｐｐｍ以下、更に好ましくは５ｐｐｍ以下、一層好ましくは３ｐｐｍ以下。
・３０分後のメチルメルカプタンガスの濃度が好ましくは２０ｐｐｍ以下、更に好ましくは１０ｐｐｍ以下、一層好ましくは５ｐｐｍ以下。
・３時間後のメチルメルカプタンガスの濃度が好ましくは５ｐｐｍ以下、更に好ましくは２ｐｐｍ以下。
・３０分後のアミンガスの濃度が好ましくは２０ｐｐｍ以下、更に好ましくは１５ｐｐｍ以下、一層好ましくは１０ｐｐｍ以下。
・３時間後のアミンガスの濃度が好ましくは５ｐｐｍ以下、更に好ましくは３ｐｐｍ以下。
・３０分後の酢酸ガスの濃度が好ましくは１５ｐｐｍ以下、更に好ましくは１０ｐｐｍ以下、一層好ましくは７ｐｐｍ以下。
・３時間後の酢酸ガスの濃度が好ましくは１０ｐｐｍ以下、更に好ましくは７ｐｐｍ以下。
【００５４】
また、前述した湿式制臭能に関し、保存温度を４０℃に上げたときの制臭能が以下の通りとなる。
・３０分後のアンモニアガスの濃度が好ましくは５０ｐｐｍ以下、更に好ましくは３０ｐｐｍ以下、一層好ましくは２０ｐｐｍ以下。
・３時間後のアンモニアガスの濃度が好ましくは３０ｐｐｍ以下、更に好ましくは２０ｐｐｍ以下。
・３０分後のメチルメルカプタンガスの濃度が好ましくは２０ｐｐｍ以下、更に好ましくは１５ｐｐｍ以下、一層好ましくは１０ｐｐｍ以下。
・３時間後のメチルメルカプタンガスの濃度が好ましくは２０ｐｐｍ以下、更に好ましくは１０ｐｐｍ以下。
・３０分後のアミンガスの濃度が好ましくは５０ｐｐｍ以下、更に好ましくは４０ｐｐｍ以下、一層好ましくは３０ｐｐｍ以下。
・３時間後のアミンガスの濃度が好ましくは３０ｐｐｍ以下、更に好ましくは２０ｐｐｍ以下。
・３０分後の酢酸ガスの濃度が好ましくは３０ｐｐｍ以下、更に好ましくは２５ｐｐｍ以下、一層好ましくは２０ｐｐｍ以下。
・３時間後の酢酸ガスの濃度が好ましくは１０ｐｐｍ以下、更に好ましくは７ｐｐｍ以下。
【００５５】
更に、前述した複合制臭能に関し、保存温度を４０℃に上げたときの制臭能が以下の通りとなる。
・３０分後のアンモニアガスの濃度が好ましくは６０ｐｐｍ以下、更に好ましくは５０ｐｐｍ以下、一層好ましくは４０ｐｐｍ以下。
・３時間後のアンモニアガスの濃度が好ましくは２０ｐｐｍ以下、更に好ましくは１５ｐｐｍ以下。
・３０分後のメチルメルカプタンガスの濃度が好ましくは７０ｐｐｍ以下、更に好ましくは６０ｐｐｍ以下、一層好ましくは５０ｐｐｍ以下。
・３時間後のメチルメルカプタンガスの濃度が好ましくは７０ｐｐｍ以下、更に好ましくは６０ｐｐｍ以下。
・３０分後のアミンガスの濃度が好ましくは７０ｐｐｍ以下、更に好ましくは６０ｐｐｍ以下、一層好ましくは５０ｐｐｍ以下。
・３時間後のアミンガスの濃度が好ましくは３０ｐｐｍ以下、更に好ましくは２０ｐｐｍ以下。
・３０分後の酢酸ガスの濃度が好ましくは３０ｐｐｍ以下、更に好ましくは２５ｐｐｍ以下、一層好ましくは２０ｐｐｍ以下。
・３時間後の酢酸ガスの濃度が好ましくは２０ｐｐｍ以下、更に好ましくは１０ｐｐｍ以下。
【００５６】
本発明の吸収性物品は、吸収層に、制臭剤及び特定の親水性繊維を特定量含有する制臭部を有しているので、吸収された液は制臭部内に存する空間に滞留しずらく該空間での悪臭発生が防止でき、更に液は制臭剤に移行されるので制臭される。更に、制臭部に高吸収性ポリマーが使用されており、高吸収性ポリマーによって液が吸収／固定されるので、制臭効果が一層効率的に発現する。このように本発明では、制臭効果が高く、吸収された液から発生する悪臭が知覚されないかまたは気にならないレベルとなる吸収性物品を実現できる。
また、本発明の吸収性物品は、特定条件下において特定ガスに対する制臭性能を有するので、制臭効果が高く、吸収された液から発生する悪臭が知覚されないか又は気にならないレベルとなる吸収性物品を実現できる。また、本発明の吸収性物品は、特定ガスに対する素早い制臭能（３０分後の制臭能）及び、長時間にわたる制臭能（３時間後の制臭能）の両方を有するため、吸収性物品の使用中の制臭効果が高く、また吸収性物品の取り外しや交換の際にも臭いが気にならない。特に本発明の吸収性物品は、生理臭に該当する特定ガスに対する制臭能に優れているので生理用ナプキンとして有用である。
【００５７】
本発明は前記実施形態に制限されず、例えば図１に示すナプキン１における吸収層４に代えて、図２に示すナプキンにおける吸収層を用いてもよい。逆に、図２に示すナプキン１における吸収層４に代えて、図１に示すナプキンにおける吸収層を用いてもよい。
また、本発明の吸収性物品を、生理用ナプキンの他、使い捨ておむつ、失禁パッド、パンティライナー、ペット用シート等に適用してもよい。
【００５８】
【実施例】
（削除）
【００５９】
（削除）
【００６０】
制臭シートＣの製造
エチレン／１−オクテン共重合体樹脂（密度０．９３ｇ／ｃｃ）にステアリン酸モノグリセライドとポリオキシエチレンノニルフェノールエーテル〔エチレンオキシド付加モル数３５モル、花王（株）製のエマルゲン９３５（商品名）〕との混合界面活性剤（１：１）を樹脂に対し１重量％混合した。この樹脂を、溶融噴出し法（メルトブローン）により不織布化し、坪量４０ｇ／ｍ2 の親水化処理済みのメルトブローン不織布を得た。この不織布を形成する樹脂は水に膨潤せず、平均繊維直径は約１μｍである。この不織布上に、高吸収性ポリマー〔日本触媒（株）製のアクアリック（商品名）〕を坪量３０ｇ／ｍ2 で散布し、若干量の水をスプレーし高吸収性ポリマーを湿潤させ、制臭剤として粒状活性炭〔二村化学（株）製、ＣＷ４８０Ｂ〕を坪量３０ｇ／ｍ2 で略均一に散布した。これら高吸収性ポリマー及び活性炭の上に、前記と同様の親水化処理済みのメルトブローン不織布（坪量４０ｇ／ｍ2 ）を重ね乾燥させ一枚の制臭シートＣを得た。制臭シートＣにおいては、活性炭が高吸収性ポリマーの粒子を介して前記樹脂からなる繊維に接着固定されていた。
【００６１】
制臭シートＤの製造
制臭シートＣの製造と同様の方法により、坪量４０ｇ／ｍ2 の親水化処理済みのメルトブローン不織布を得た。この不織布上に、制臭剤として粒状活性炭〔二村化学（株）製、ＣＷ４８０Ｂ〕を坪量３０ｇ／ｍ2 及びベントナイト〔水沢化学製のベンクレー（商品名）〕を坪量３０ｇ／ｍ2 で略均一に散布した。その後は制臭シートＣの製造と同様の方法により、一枚の制臭シートＤを得た。
【００６２】
制臭シートＥの製造（比較）
遠心保持量１．３ｇ／ｇの針葉樹化学パルプ〔スキーナセルロース社製のスキーナプライム（商品名）〕を水中に分散させ、坪量が４０ｇ／ｍ2 の吸収紙を得た。この吸収紙にホットメルト粘着剤を坪量１０ｇ／ｍ2 でスパイラル状に塗布した。この上に制臭剤として粒状活性炭〔二村化学（株）製、ＣＷ４８０Ｂ〕を坪量３０ｇ／ｍ2 及びベントナイト〔水沢化学製のベンクレー（商品名）〕を坪量３０ｇ／ｍ2 で略均一に散布した。更に前記と同様の吸収紙（坪量４０ｇ／ｍ2 ）を重ね合わせて一枚の制臭シートＥを得た。
【００６３】
制臭シートＦの製造（比較）
遠心保持量１．２ｇ／ｇの化学パルプ〔ウェアーハウザー（株）製のＮＢ−４２０（商品名）〕を空気中で坪量５０ｇ／ｍ2 に積繊し、このパルプ上に高吸収性ポリマー〔日本触媒（株）製のアクアリック（商品名）〕を散布坪量３０ｇ／ｍ2 、制臭剤として粒状活性炭〔二村化学（株）製、ＣＷ４８０Ｂ〕を坪量３０ｇ／ｍ2 で略均一に散布した。これら高吸収性ポリマー及び活性炭の上に、前記と同様の化学パルプを坪量５０ｇ／ｍ2 で積繊し重ね合わせて圧縮し一枚の制臭シートＦを得た。
【００６４】
吸収シートＧの製造（比較）
遠心保持量１．３ｇ／ｇの針葉樹化学パルプ〔スキーナセルロース社製のスキーナプライム（商品名）〕を水中に分散し、坪量４０ｇ／ｍ2 の吸収シートＧを得た。
【００６５】
制臭シートＣ〜Ｆ及び吸収シートＧについて、構成繊維の遠心保持量及びシートのクレム吸水度を以下の方法により測定した。その結果を表１に示す。
【００６６】
＜遠心保持量＞
繊維や発泡体等の親水性材料サンプル１ｇを正確に量り取り、イオン交換水５００ｍＬの入ったビーカー中に入れ３０分間そのままに放置した。その後、サンプルを取り出し、サンプルが脱落しないような不織布又はナイロンメッシュからなる袋の中にサンプルを入れた。遠心分離機〔国産遠心器（株）製のＨ−１３０Ｃ（商品名）〕にて、サンプルが入った袋を２０００回転／分（８９５Ｇの遠心加速度）で１０分間回転させた。その後のサンプルの重量を測定し、以下に示す式から遠心分離後の保持吸収量（遠心保持量）を求めた。
遠心保持量（ｇ／ｇ）＝｛遠心分離後のサンプル重量−初期のサンプルの重量（１ｇ）｝／初期のサンプル重量（１ｇ）
【００６７】
＜クレム吸水度＞
制臭シートＣ〜Ｆ及び吸収シートＧをサンプルとし、対象液を生理食塩水とする以外の測定条件及び装置はＪＩＳ  Ｐ  ８１４１の試験方法に準じた。サンプルサイズは、吸収性物品の長手方向に相当する方向で、長さ２００ｍｍ、幅１５ｍｍとした。生理食塩水にサンプルを浸漬し１分後の吸水高さを求めた。計１０点の平均値を１分後の吸水度とした。
【００６８】
【表１】
0003753581.tif 000002
【００６９】
（削除）
【００７０】
（削除）
【００７１】
〔実施例１〕
図２に示す生理用ナプキンを作製した。先ず化学パルプ〔ウェアーハウザー社製のＮＢ４２０（商品名）〕を、空気中で坪量１５０ｇ／ｍ2 、幅７０ｍｍ、長さ１７５ｍｍに積繊した。このパルプに高吸収性ポリマー〔日本触媒（株）製のアクアリック（商品名）〕を散布坪量３０ｇ／ｍ2 で散布した。このパルプ／高吸収性ポリマーの混合物を、幅１５０ｍｍ、長さ１７５ｍｍの制臭シートＣで包みこんで吸収層４とした。吸収層４を、幅１００ｍｍ、長さ２０５ｍｍのポリエチレンフィルムからなる防漏シート６で包み、更に幅１２０ｍｍ、長さ２０５ｍｍのポリエチレン開孔フィルムからなる液透過性表面層２で包み、更にポリエチレンフィルムからなるバックシート３を重ね合わせ、前後端をヒートシールで接着した。更に、ナプキンの非肌当接面側に、ズレ止めホットメルト粘着剤７を塗布し、その上を剥離紙８で被覆した。このようにして、製品長さ２０５ｍｍ、幅７５ｍｍの生理用ナプキンを得た。
【００７２】
〔実施例２〕
制臭シートＣに代えて制臭シートＤを用いる以外は実施例１と同様にして生理用ナプキンをを得た。
【００７３】
〔比較例１〕
化学パルプ〔ウェアーハウザー社製のＮＢ４２０（商品名）〕を、空気中で坪量１５０ｇ／ｍ2 、幅７０ｍｍ、長さ１７５ｍｍに積繊した。このパルプに高吸収性ポリマー〔日本触媒（株）製のアクアリック（商品名）〕を散布坪量３０ｇ／ｍ2 で散布した。このパルプ／高吸収性ポリマーの混合物の下に、幅７０ｍｍ、長さ１７５ｍｍの制臭シートＥを配置した。更に遠心保持量１．３ｇ／ｇの針葉樹化学パルプ〔スキーナセルロース社製のスキーナプライム（商品名）〕からなる幅１１５ｍｍ、長さ１７５ｍｍ、坪量１８ｇ／ｍ2 の湿式吸収紙で、これら全体を包みこんで吸収層とした。その後は実施例１と同様にして生理用ナプキンを得た。
【００７４】
〔比較例２〕
制臭シートＥに代えて制臭シートＦを用いる以外は比較例１と同様にして生理用ナプキンをを得た。
【００７５】
〔比較例３〕
花王（株）製のロリエやわらかメッシュレギュラー（商品名）を比較例３とした。
【００７６】
以下の実施例３及び比較例４は、装着時のムレ感の快適性をより向上させる為に、防漏層に透湿性の防漏材を使用した例である。
【００７７】
（削除）
【００７８】
〔実施例３〕
図２に示す生理用ナプキンを作製した。先ず化学パルプ〔ウェアーハウザー社製のＮＢ４２０（商品名）〕を、空気中で坪量１５０ｇ／ｍ2 、幅７０ｍｍ、長さ１７５ｍｍに積繊した。このパルプに高吸収性ポリマー〔日本触媒（株）製のアクアリック（商品名）〕を散布坪量３０ｇ／ｍ2 で散布した。このパルプ／高吸収性ポリマーの混合物を、幅１５０ｍｍ、長さ１７５ｍｍの制臭シートＣで包みこんで吸収層とした。吸収層の非肌当接面側を、幅１００ｍｍ、長さ２０５ｍｍの液不透過性で水蒸気透過性の防漏層であるバックシート３（炭酸カルシウムをポリエチレン中に分散させ、フィルム製膜後フィルムを延伸させたシート）で覆い、更に、幅１００ｍｍ、長さ２０５ｍｍのポリエチレン開孔フィルムからなる液透過性表面層を、吸収層の肌当接面側に重ね合わせた。そして、防漏層と表面層とを製品の前後及び両側でヒートシールによって接着した。その後は実施例１と同様にして生理用ナプキンを得た。
【００７９】
〔比較例４〕
制臭シートＢに代えて吸収シートＧを用いる以外は実施例５と同様にして生理用ナプキンを得た。
【００８０】
実施例及び比較例で得られた生理用ナプキンの制臭性能を以下の方法により評価した。また、各生理用ナプキンについて、前述の方法でアンモニア、メチルメルカプタン、ジエチルアミン及び酢酸に対する乾式制臭能、湿式制臭能及び複合制臭能を測定した。それらの結果を表２〜表４に示す。尚、表２〜表４に示す乾式制臭能、湿式制臭能及び複合制臭能において、括弧で囲んでいない数値は２５℃での測定結果である。括弧で囲んだ数値は４０℃での測定結果である。
【００８１】
＜制臭性能評価１＞
実施例１及び２並びに比較例１〜３で得られた生理用ナプキンを、生理用ショーツを用いて可動式人体モデルに装着させた。次いで可動式人体モデルを、１００歩／分（５０ｍ／分）の歩行速度で歩行させた。その後歩行させながら、生理食塩水５ｍＬ中にジエチルアミン１００μＬを入れた溶液をナプキン中に５ｍＬ注入し、同じ速度で３０分間歩行させた。その後ナプキンを取り出し、試験サンプルとした。無作為に選定した２５名のモニターに試験サンプルの表面側より約１０ｃｍの距離に鼻を近づけてもらい、臭いを嗅いでもらい、以下の基準で評価してもらった。結果は、計２５名の平均点で表した。点数は、その値が小さければ小さい程、臭いが吸収されており、制臭効果が高いことを意味する。
また、実施例３及び比較例４で得られた生理用ナプキンについても、これと同様の評価を行った。但し、試験サンプルを装着したままのショーツより約１０ｃｍの距離からモニターに臭いを嗅いでもらった。
【００８２】
評価基準
１点・・・臭いがしない。
２点・・・わずかに臭いがするが気にならない。
３点・・・やや不快な臭いがする。
４点・・・不快な臭いがする。
【００８３】
＜制臭性能評価２＞
予め意識調査を行い生理時の臭いに敏感な女性２５名にモニターとして選出した。各モニターに、実施例１及び２並びに比較例１〜３で得られた生理用ナプキンを、各４枚づつ使用してもらった。４枚のナプキンのうち２枚を経血の多い日（１〜３日目）に使用し、残り２枚を経血が少なくなってから（４日目以降）使用した。各ナプキンは２時間以上装着した。そして、以下の場面で臭いをどのように感じたかを、制臭性能評価１と同様の基準で評価してもらった。
＜2.1 経血の多い日＞
(a) ナプキンを装着後、１時間以上経過後の装着中の臭い
(b) ナプキンを外すときの臭い
＜2.2 経血が少なくなってから＞
(a) ナプキンを装着後、１時間以上経過後の装着中の臭い
(b) ナプキンを外すときの臭い
【００８４】
【表２】
0003753581.tif 000003
【００８５】
【表３】
0003753581.tif 000004
【００８６】
【表４】
0003753581.tif 000005
【００８７】
表２〜表４に示す結果から明らかなように、実施例１〜３の生理用ナプキン（本発明品）は、比較例１〜４の生理用ナプキンに比して、制臭効果が高く、臭いがしないか或いは臭いが気にならないレベルまで制臭されていることが判る。特に、湿式制臭能及び複合制臭能に関し、実施例１〜３の生理用ナプキン（本発明品）は高い制臭能を発現しているが、比較例１〜４の生理用ナプキンはそれらが著しく劣っていることが判る。
【００８８】
本発明品で用いた制臭シートＣ及びＤは、水に膨潤しない親水性繊維を含有しているので、悪臭成分を含む液は繊維空間に残留せず制臭剤及び高吸収性ポリマーに向かって速やかに移行する。移行された液は制臭剤及び高吸収性ポリマーによって吸収／固定され制臭されるので、悪臭発生が効果的に防止される。
また、実施例１及び２の吸収体は、その中央部が化学パルプからなるので、吸収した液が滞留し悪臭が発生することがあるが、該中央部は前述の制臭シートに包囲されているので、発生する悪臭は必ず該制臭シートを通過するときに制臭される。実施例３のナプキンでは、その防漏層に水蒸気透過性のシートを用いているので、ムレがなく快適であり、また湿度上昇がないことにより細菌による液の腐敗の進行が抑えられ悪臭の発生増加が防止されている。これらのナプキンでは、防漏層を通して悪臭が外部へ発散しうるが、該悪臭は必ず前記制臭シートを通過するので、そこで制臭される。
一方、比較例１及び２で用いた制臭シートでは、前記の繊維が用いられていないので、制臭剤が効果的に生かされず制臭効果に劣り、ナプキンから発生する悪臭が着用者に知覚されてしまうレベルとなった。
【００８９】
【発明の効果】
本発明によれば、制臭効果が高く且つ漏れの少ない吸収性物品が提供される。
【図面の簡単な説明】
【図１】  本発明の吸収性物品の一実施形態としての生理用ナプキンの幅方向断面図である。
【図２】  本発明の吸収性物品の他の実施形態を示す幅方向断面図（図１相当図）である。
【符号の説明】
１  生理用ナプキン
２  トップシート
３  バックシート
４  吸収体
９  制臭部
１０  制臭シート
１１  吸収保持部
【図１】
0003753581.tif 000006
【図２】
0003753581.tif 000007